(57)【要約】【課題】  ゴミの収集場所に多くのゴミ袋を置き易く、しかも収集車でゴミ袋を集め易く、更に移動することが出来るゴミステーションの提供。【解決手段】  開閉する蓋４を上部に備えた細長い本体ケース１に水平主軸５を軸支し、該主軸５にはカバーシート２を巻き付けると共に巻き戻して本体ケース１から引き出すことが出来、そして本体ケース１の正面には複数枚のシート支持板３，３・・を継手７，７・・を介して折畳み可能に取付け、本体ケース１の側端に設けたハンドル６の軸を上記主軸５と連結し、更に本体ケース１の底には複数の車輪９，９・・を備えている。【選択図】    図１
2008247566.tif 000002
【特許請求の範囲】
【請求項１】
ゴミの収集場所に設置されるゴミステーションにおいて、開閉する蓋を上部に備えた細長い本体ケースに水平主軸を軸支し、該主軸にはカバーシートを巻き付けると共に巻き戻して本体ケースから引き出すことが出来、そして本体ケースの正面には複数枚のシート支持板を継手を介して折畳み可能に取付け、本体ケースの側端に設けたハンドルの軸を上記主軸と連結し、更に本体ケースの底には複数の車輪を備えたことを特徴とするゴミステーション。
【請求項２】
本体ケースの両側端に取付けたシート支持板には留め金具を設け、カバーシートから延びるゴム紐の先端を上記留め金具に係止可能とした請求項１記載のゴミステーション。
【請求項３】
本体ケースには消臭剤や消毒剤を入れた容器を取付け、そして該消臭剤や消毒剤を散布する為のポンプを備えた請求項１、又は請求項２記載のゴミステーション。
【発明の詳細な説明】
【技術分野】
【０００１】
本発明は各家庭から出されるゴミを一時的に保管するゴミステーションに関するものである。
【背景技術】
【０００２】
家庭から出されるゴミを収集車が来るまでの間、一時的に保管するゴミのステーションとしては色々な形態が存在している。最も一般的なゴミステーションはゴミを収容したゴミ袋を所定の場所に積み上げて、シートを被覆すると言ったものである。それで、カラスにゴミ袋が突かれることはある程度防止され、犬や猫による散かし防止にも効果はあるが、単にシートを被せるだけのゴミステーションは特定の場所に設置されるものではない。従って、ゴミを集める場所は順次変更することは可能である。
【０００３】
又、金網で外壁を構成したボックスも田舎で多用されているゴミステーションの１つである。該ボックス内にゴミを収容したゴミ袋を入れることが出来、収集車はボックスの扉を開いてゴミを集めることが出来る。このようなボックス型ゴミステーションは都会では不向きであり、場所の余裕がある田舎に多い。ボックス内に入れたゴミをカラスが突くことはなく、犬や猫が入ってゴミを散かすこともない。又、扉は通常ロックされているために、無断でゴミを投入することは出来ない。しかし、ボックスからゴミ袋を取出す作業は面倒であり、時間がかかると共に、道路の脇に大きなボックス型ゴミステーションを設置することは、街の景観を損なう。
【０００４】
特開２００３−３２７３０２号に係る「鳥獣風被害対策付きゴミ袋収納簡易ステーションユニット」は、路上、空き地、緑地帯等一時的なごみ集積場所では、生ごみ等のカラスや犬・猫などによる散乱の被害が後を絶たない。一般的に使用されている風呂敷型のネットでは、ゴミを出す度にネットを持ち上げ、ゴミ袋を置きネットを被せる一連の作業を伴うし鳥獣の被害からも守りきれていない。この発明はこれらの問題を解決するものである。
【０００５】
そこで、 複数のアーチ型支柱と、相対峙する支柱取付台、及び開閉自在のゴミ袋投入口を有する鳥獣対策ネットにより成るドーム型の簡易型ゴミ袋集積ステーションであり、支柱取付台に取り付けられたアーチ型支柱が支柱受けパイプ取付支点により可動自在であるため、ゴミ袋回収時は、片側の接地部分から支柱を持ち上げ半ドーム状に開放又は全開放して回収作業を行うことができる。
【０００６】
特開２００１−２１４５２０号に係る「フルオープン式ゴミステーション」はゴミの収集が容易に出来るようにしたボックス型のゴミステーションである。
そこで、折畳み自在のゴミステーションを，フルオープン式のものに改良して，ゴミ収集 の作業性を向上することが出来る。そこで、 背面パネルを基準として屋根パネル，谷折り状中折れの側面パネル，床パネルを折畳み自在としたボックス本体を形成し，上記側面パネルの先端に両開きの開き戸を設置する一方，屋根パネルの開成状態を支持するように側面パネルとの間に支持アームを設置して，屋根パネルと開き戸の開成に際して上面と正面を連続して開放して，ゴミ収集を容易になし得るようにしている。
【特許文献１】特開２００３−３２７３０２号に係る「鳥獣風被害対策付きゴミ袋収納簡易ステーションユニット」
【特許文献２】特開２００１−２１４５２０号に係る「フルオープン式ゴミステーション」
【発明の開示】
【発明が解決しようとする課題】
【０００７】
このように、従来のゴミステーションには上記のごとき問題がある。本発明が解決しようとする課題はこの問題点であり、多くのゴミ袋を置き易く、しかも収集車でゴミ袋を集め易く、更に移動することが出来るゴミステーションを提供する。
【課題を解決するための手段】
【０００８】
本発明に係るゴミステーションは本体ケースとカバーシートにて構成され、本体ケースは細長い箱形とし、該本体ケースには主軸を水平に取付けてハンドルにて回転することが出来る。そして、この水平主軸には上記カバーシートが巻き付けられ、必要に応じて巻き戻して引き出すことが出来る。ここで、カバーシートの材質や構造は限定しないことにする。
【０００９】
そして、本体ケースの正面には複数枚のシート支持板が継手を介して取付けられ、該シート支持板は折畳むことが出来る。折畳むことで本体ケースの正面と平行になる。シート支持板の形状は一般にその上縁が滑らかな凸状曲面とし、本体ケースから引き出されたカバーシートが載って支持され、地面との間に大きな空間を形成することが出来る。袋に入ったゴミはカバーシートを開けて該空間に積み上げられる。
【００１０】
そして、本体ケースはその設置場所を移動出来るように、底には複数の車輪を取付けている。又、本体ケースの上面には蓋を有し、該蓋は開閉可能な構造としている。ただし、蓋の開閉手段は特に限定しない。
【発明の効果】
【００１１】
本発明のゴミステーションは本体ケースの主軸にカバーシートを巻き付けており、必要に応じてカバーシートを引き出すことが出来、ゴミが入ったゴミ袋はこのカバーシートを捲り上げて積み上げることが出来る。そして、本体ケースの正面にはシート支持板が取付けられていて、本体ケースから引き出したカバーシートを支え、地面との間に大きな空間が形成され、ゴミ袋はこの空間に入れて積み上げることが出来る。
【００１２】
ところで、本発明のゴミステーションは本体ケースの底に車輪を取付けている為に、適当な場所へ移動することが可能である。すなわち、ゴミ収集日には定められているゴミ置き場に設置し、それ以外の日は所定の場所に移動して収納される。又、シート支持板は継手を介して折畳むことが出来る為に、移動に際しては該シート支持板は本体ケースの正面と平行となって邪魔にならず、勿論、収納時にもコンパクトに収まる。そして、カバーシートは本体ケースに取付けている主軸にハンドル操作で巻き付けることが出来る。
【実施例】
【００１３】
図１は本発明に係るゴミステーションを表している実施例であり、同図の１は本体ケース、２はカバーシート、３はシート支持板を夫々示している。本体ケース１は細長い箱で、上部には蓋４が取付けられ、該カバーシート２は本体ケース１に水平に取付けている主軸５に巻き付いている。従って、カバーシート２の先端を引くならば、巻き戻されて本体ケース１から引き出される。逆に、引き出されたカバーシート２を主軸５に巻き付けるには、本体ケース１の側部に設けているハンドル６を回すことで行うことが出来る。
【００１４】
そして、上記シート支持板３は本体ケース１の正面に取付けられ、しかも継手７を介して折畳むことが出来る。シート支持板３はその上縁８が滑らかな凸状曲面を成し、本体ケース１から引き出されたカバーシート２は該シート支持板３，３・・の上に載って支持される。同図の実施例ではシート支持板３，３・・が本体ケース１の両側端と中央の３箇所に取付けているが、シート支持板３，３・・の枚数は限定しない。
【００１５】
そして、本体ケース１の底には複数の車輪９，９・・が取付けられていて、本体ケース１は自由に移動することが出来る。この場合、シート支持板３，３・・は折畳まれた状態で移動する。折畳んだシート支持板３，３・・が移動に際してバタ付かないように、本体ケース１の正面とシート支持板３，３・・には互いに引き合う磁石を取付けることもある。
【００１６】
図２は本体ケース１からカバーシート２を引き出した場合であり、該カバーシート２はシート支持板３の上に載って被覆し、本体ケース１の両端に取付けたシート支持板３，３の間をカバーシート２が覆うことで、両シート支持板３，３と地面との間に大きな空間が形成される。両端のシート支持板３，３には留め金具１０，１０・・が設けられ、カバーシート２から延びるゴム紐１１，１１・・の先端は上記留め金具１０，１０・・と連結している。
【００１７】
この場合、シート支持板３，３がゴム紐１１，１１・・の弾性力で引っ張られて折畳まないように、ストッパーを備えている。勿論、カバーシート２をゴム紐１１，１１・・にてシート支持板３，３に固定しない場合もあり、家庭から出されるゴミを入れたゴミ袋はカバーシート２を捲り上げて空間に積み上げられる。積み上げられるゴミ袋はシート支持板３，３の上縁を越えることもあるが、ゴミ袋の山はカバーシート２にて覆われる。
【００１８】
ゴミの収集車は、該ゴミステーションが設置される付近まで移動し、カバーシート２を捲り上げてゴム袋をゴミ収集車へ運び入れる。そして、ゴミ袋が収集されて空に成ったゴミステーションは、ハンドル６を回してカバーシート２を主軸５に巻き取り、蓋４をすると共にシート支持板３，３・・を折畳んで移動することが出来る。すなわち、通常は道路脇に設置しておくことなく、道路から離れた奥に収納される。
【００１９】
そこで、本発明のゴミステーションは土地に比較的余裕のある田舎より、道路脇にゴミステーションを常時設置することが出来難い都会に適している。一方、本体ケース１には上記カバーシート２の他に消臭液を入れたタンクを備え、この消臭液を積み上げられたゴミ袋に噴きつけるように構成することもある。噴きつける手段としては、手動で動作するポンプを備えている。消臭液の代わりに、又は消臭液と共に消毒液を入れたタンクを取付ける場合もある。
【図面の簡単な説明】
【００２０】
【図１】本発明に係るゴミステーションを示す実施例であり、平面図とＡ−Ａ断面図。
【図２】カバーシートを引き出して、シート支持板に取付けている場合。
【符号の説明】
【００２１】
１  本体ケース
２  カバーシート
３  シート支持板
４  蓋
５  主軸
６  ハンドル
７  継手
８  上縁
９  車輪
10  留め金具
11  ゴム紐
【図１】
2008247566.tif 000003
【図２】
2008247566.tif 000004